(57)【要約】【課題】複数の駅の改札機を記録媒体が通過した際の情報を捜索等の目的に応じて適切に処理可能な記録媒体管理システム及び記録媒体管理装置を提供することである。【解決手段】実施形態の記録媒体管理システムにおいて、記録媒体通過情報管理装置は、改札機が記録媒体から読み取った記録媒体識別子と記録媒体が改札機を通過した際の状況を示す情報とを対応付けた記録媒体通過情報を記憶し、記録媒体識別子管理装置から受信した検索要求の検索条件が示す時間帯に改札機を通過したことを示す記録媒体通過情報を検索し、検索結果を送信する。記録媒体識別子管理装置は、捜索対象の期間として指定された時間帯を検索条件とする検索要求を送信し、検索要求に応じて記録媒体通過情報管理装置が送信する記録媒体通過情報に基づき、捜索対象者が所持する記録媒体の記録媒体識別子である捜索対象記録媒体識別子を特定する。【選択図】図５
2015049678.tif 000002
【特許請求の範囲】
【請求項１】
複数の駅に備えられる記録媒体通過情報管理装置と、前記記録媒体通過情報管理装置の各々と通信網を経由して接続される記録媒体識別子管理装置とを備え、
前記記録媒体通過情報管理装置は、
改札機が記録媒体の通過に応じて前記記録媒体から読み取った記録媒体識別子と、前記記録媒体が改札機を通過した際の状況を示す所定の情報とを対応付けた記録媒体通過情報を記録媒体通過情報記憶部に記憶させる記録媒体通過情報管理部と、
前記記録媒体識別子管理装置から受信した検索要求における検索条件が示す時間帯に改札機を通過したことを示す記録媒体通過情報を前記記録媒体通過情報記憶部が記憶する記録媒体通過情報のうちから検索し、検索した記録媒体通過情報を検索結果として前記記録媒体識別子管理装置に送信する検索部とを備え、
前記記録媒体識別子管理装置は、
検索対象として指定された駅に設置された記録媒体通過情報管理装置に対して、捜索対象の期間として指定された時間帯を検索条件とする検索要求を送信する検索要求部と、
前記検索要求に応じて前記記録媒体通過情報管理装置から検索結果として送信される記録媒体通過情報に基づいて、捜索対象者が所持する記録媒体の記録媒体識別子である捜索対象記録媒体識別子を特定する捜索対象記録媒体識別子特定部とを備える
記録媒体管理システム。
【請求項２】
前記捜索対象記録媒体識別子特定部により特定された捜索対象記録媒体識別子が改札機にて取得されるように送信する捜索対象記録媒体識別子送信部を前記記録媒体識別子管理装置においてさらに備え、
改札機が記録媒体の通過に応じて読み取った記録媒体識別子が、前記改札機にて取得された捜索対象記録媒体識別子と一致するのに応じて、捜索対象者の通過に対応した所定の動作を前記改札機に実行させる動作制御部をさらに備える
請求項１に記載の記録媒体管理システム。
【請求項３】
前記動作制御部は、
前記改札機に構内側扉と構外側扉とを閉じる動作を実行させる
請求項２に記載の記録媒体管理システム。
【請求項４】
前記動作制御部は、
前記改札機に、捜索対象者が通過していることを示す所定の態様によりランプを点灯させる
請求項２または３に記載の記録媒体管理システム。
【請求項５】
前記検索要求部は、
各駅に設置された記録媒体通過情報管理装置に対して、前記捜索対象記録媒体識別子特定部により特定された捜索対象記録媒体識別子を検索条件とする検索要求を送信し、
前記検索部は、
受信した検索要求の検索条件が示す捜索対象記録媒体識別子と一致する記録媒体識別子を含む記録媒体通過情報を検索し、検索した記録媒体通過情報を検索結果として前記記録媒体識別子管理装置に送信する
請求項１から４のいずれか一項に記載の記録媒体管理システム。
【請求項６】
前記検索部は、
改札機が記録媒体から記録媒体識別子を読み取ったのに応じて新規に得られた記録媒体通過情報が、過去の検索に利用した検索条件と一致する場合に、前記新規に得られた記録媒体通過情報を検索結果とする
請求項１から５のいずれか一項に記載の記録媒体管理システム。
【請求項７】
複数の駅において設置される各改札機が記録媒体の通過に応じて前記記録媒体から読み取った記録媒体識別子と、前記記録媒体が改札機を通過した際の状況を示す所定の情報とを対応付けた記録媒体通過情報を記録媒体通過情報記憶部に記憶させる記録媒体通過情報管理部と、
前記記録媒体通過情報記憶部が記憶する記録媒体通過情報のうちから、検索対象として指定された駅の改札機を検索条件が示す時間帯に通過したことを示す記録媒体通過情報を検索する検索部と、
前記検索部が検索した記録媒体通過情報に基づいて、捜索対象記録媒体識別子を特定する対象記録媒体識別子特定部と
を備える記録媒体管理装置。
【発明の詳細な説明】
【技術分野】
【０００１】
本発明の実施形態は、記録媒体管理システム及び記録媒体管理装置に関する。
【背景技術】
【０００２】
固有のカード識別子（ＩＤ番号）が付与されたＩＣカードが利用されている（例えば、特許文献１参照）。
駅の改札機を通過するにあたり、切符などに代わり、ＩＣカードが利用されるようになってきている。このような鉄道用のＩＣカードは、プリペイドカードあるいは定期券としての機能を有している。鉄道の利用者は、自己が所有するＩＣカードを改札機に読み取らせる。改札機に読み取らせたＩＣカードがプリペイドカードであれば、事前にカードに入金された金額のうちから運賃が差し引かれ、利用者は改札機を通過することができる。また、自動改札機に読み取らせたＩＣカードが定期券である場合、定期券により指定された区間内であれば、利用者は自動改札機を通過することができる。
【先行技術文献】
【特許文献】
【０００３】
【特許文献１】特許第３８１６４６０号公報
【発明の概要】
【発明が解決しようとする課題】
【０００４】
例えば、犯罪者あるいは行方不明者などの捜索対象者を捜索するにあたり、捜索対象者が鉄道を利用する可能性のあることを考慮すれば、鉄道用のＩＣカードが改札機を通過した際の情報を利用して捜索対象者を捜索できるようにすることが好ましい。
しかし、現状において、各駅の改札機をＩＣカードが通過した際の情報を利用して捜索対象者の捜索等に利用できるようなシステムは構築されていない。
【０００５】
本発明が解決しようとする課題は、複数の駅の改札機を記録媒体が通過した際の情報を捜索対象者の捜索等の目的に応じて適切に処理することのできる記録媒体管理システム及び記録媒体管理装置を提供することである。
【課題を解決するための手段】
【０００６】
実施形態の記録媒体管理システムは、複数の駅に備えられる記録媒体通過情報管理装置と、前記記録媒体通過情報管理装置の各々と通信網を経由して接続される記録媒体識別子管理装置とを備える。前記記録媒体通過情報管理装置は、記録媒体通過情報管理部と検索部とを備える。前記記録媒体通過情報管理部は、改札機が記録媒体の通過に応じて前記記録媒体から読み取った記録媒体識別子と、前記記録媒体が改札機を通過した際の状況を示す所定の情報とを対応付けた記録媒体通過情報を記録媒体通過情報記憶部に記憶させる。前記検索部は、前記記録媒体識別子管理装置から受信した検索要求における検索条件が示す時間帯に改札機を通過したことを示す記録媒体通過情報を前記記録媒体通過情報記憶部が記憶する記録媒体通過情報のうちから検索し、検索した記録媒体通過情報を検索結果として前記記録媒体識別子管理装置に送信する。前記記録媒体識別子管理装置は、検索要求部と捜索対象記録媒体識別子特定部とを備える。前記検索要求部は、検索対象として指定された駅に設置された記録媒体通過情報管理装置に対して、捜索対象の期間として指定された時間帯を検索条件とする検索要求を送信する。前記捜索対象記録媒体識別子特定部は、前記検索要求に応じて前記記録媒体通過情報管理装置から検索結果として送信される記録媒体通過情報に基づいて、捜索対象者が所持する記録媒体の記録媒体識別子である捜索対象記録媒体識別子を特定する。
【図面の簡単な説明】
【０００７】
【図１】第１実施形態におけるＩＣカード管理システムの構成例を示す図。
【図２】第１実施形態における改札機の構成例を示す図。
【図３】第１実施形態におけるカード通過情報管理装置の構成例を示す図。
【図４】第１実施形態におけるカード通過情報記憶部が記憶するカード通過情報の構造例を示す図。
【図５】第１実施形態におけるカード識別子管理サーバの構成例を示す図。
【図６】第１実施形態における検索結果記憶部が記憶する検索結果の構造例を示す図。
【図７】改札機がＩＣカードの通過に応じて実行する処理手順例を示すフローチャート。
【図８】カード通過情報管理装置が改札機から送信されたカード通過情報の受信に応じて実行する処理手順例を示すフローチャート。
【図９】カード通過情報管理装置がカード識別子管理サーバから送信された検索要求に応じて実行する処理手順例を示すフローチャート。
【図１０】カード識別子管理サーバが実行する処理手順例を示すフローチャート。
【図１１】改札機が捜索対象者対応動作に対応して実行する処理手順例を示すフローチャート。
【図１２】第２実施形態におけるカード識別子管理サーバが検索要求の送信のために実行する処理手順例を示すフローチャート。
【図１３】第２実施形態の変形例としてのカード識別子管理サーバが実行する処理手順例を示す図。
【図１４】第３実施形態におけるカード通過情報管理装置の構成例を示す図。
【図１５】第３実施形態におけるカード通過情報管理装置が検索条件の記憶のために実行する処理手順例を示すフローチャート。
【図１６】第３実施形態におけるカード通過情報管理装置が、過去の検索に利用した検索条件を満たすカード通過情報の受信に応じて、受信したカード通過情報を検索結果として処理するための処理手順例を示すフローチャート。
【発明を実施するための形態】
【０００８】
以下、実施形態のＩＣカード管理システムについて図面を参照して説明する。
＜第１実施形態＞
［ＩＣカード管理システムの構成例］
図１は、本実施形態のＩＣ（Integrated Circuit）カード（記録媒体）管理システムの構成例を示している。
同図に示すように、本実施形態のＩＣカード管理システムは、複数の駅１−１〜１−Ｎごとに、改札機２００、監視盤３００、カード通過情報管理装置４００を備える。なお、以降の説明にあたり、駅１−１〜１−Ｎについて特に区別しない場合には駅１と記載する。
また、本実施形態のＩＣカード管理システムは、各駅のカード通過情報管理装置４００と通信網６００を介して接続されるカード識別子管理サーバ（記録媒体識別子管理装置）５００を備える。
【０００９】
１つの駅１においては、例えば改札口ごとに１以上の所定台数の改札機２００が備えられる。改札機は鉄道用のＩＣカード１００に対応している。ＩＣカード１００は、例えばプリペイドカード機能あるいはプリペイドカード機能と定期券とが併用されたカードであり、利用客が所持する。
【００１０】
利用客が、駅の改札口から駅構内に入場あるいは駅構外に出場するために改札機２００を通過する際には、自己が所持するＩＣカード１００を改札機２００の所定位置にかざす。これにより、改札機２００がＩＣカード１００に記憶された情報の読み取りを行う。情報の読み取りが行われたＩＣカードがプリペイドカード機能を有していれば、出場の際にはＩＣカードに入金されている金額から運賃が差し引かれる。また、情報の読み取りが行われたＩＣカードが定期券である場合には、定期券が示す区間内であれば、利用客はそのまま改札機２００を通過できる。
【００１１】
ここで、ＩＣカード１００には、ＩＣカードごとに固有となるカード識別子が記憶されており、改札機２００がＩＣカード１００から読み取る情報にはカード識別子が含まれる。改札機２００は、監視盤３００と通信が可能なように接続されており、ＩＣカード１００からカード識別子を読み取るのに応じて、読み取ったカード識別子を監視盤３００に送信する。
【００１２】
監視盤３００は、同じ駅１内の改札機２００のそれぞれと通信が可能なように接続されている。また、監視盤３００は、同じ駅１内のカード通過情報管理装置４００と接続されている。
監視盤３００は、改札機２００から送信されたカード識別子などの情報を受信するのに応じて、受信した情報をカード通過情報管理装置４００に転送する。
また、監視盤３００は、カード通過情報管理装置４００から送信された情報を受信するのに応じて、受信した情報を改札機２００に転送する。
【００１３】
カード通過情報管理装置４００は、同じ駅１の改札機２００から送信されたカード識別子を含むカード通過情報を生成し、生成したカード通過情報を記憶する。カード通過情報は、改札機２００を通過したＩＣカード１００についての通過状況を示す情報である。なお、ＩＣカード１００が改札機２００を通過するということは、駅構内への入場または駅構外への出場にあたって、ＩＣカード１００を所持した利用者がＩＣカード１００を改札機２００に読み取らせて通過したことに対応する。
【００１４】
また、カード通過情報管理装置４００は、カード識別子管理サーバ５００から送信された検索要求を受信するのに応じて、記憶しているカード通過情報のうちから、受信した検索要求が示す検索条件に一致するカード通過情報を検索する。カード通過情報管理装置４００は、検索されたカード通過情報を検索結果としてカード識別子管理サーバ５００に送信する。
【００１５】
例えば、捜索対象者を捜索するにあたり、捜索を行う捜索者は、過去の或る日の時間帯において捜索対象者がどのように鉄道を利用したかを推定することにより、捜索対象者が入出場した可能性の高い駅と、入出場した時刻に対応した時間帯との組合せを推定する、カード識別子管理サーバ５００に入力する。これにより、検索対象の駅と、検索条件としての時間帯が指定される。なお、検索要求としての時間帯には日付も指定されている。
【００１６】
上記の指定に応じて、カード識別子管理サーバ５００は、検索対象として指定された駅１におけるカード通過情報管理装置４００に対して検索要求を送信する。検索要求においては、検索条件としての時間帯が示される。検索要求の送信に応じて、カード通過情報管理装置４００は、検索条件としての時間帯に改札機２００を通過したことを示すカード通過情報を検索結果としてカード識別子管理サーバ５００に送信する。カード識別子管理サーバ５００は、受信したカード通過情報を記憶する。
【００１７】
捜索者は、捜索対象者が入出場した可能性の高い駅と、入出場した時刻に対応した時間帯との組合せについて、１つではなく、複数推定する。このような駅と時間帯との組合せの数については、できるだけ多いほうが、捜索対象者に対応するカード識別子を特定するためには好ましい。
捜索者は、推定した駅と時間帯との組合せごとに対応してカード識別子管理サーバ５００に検索要求を送信させ、検索結果として受信されるカード通過情報を記憶する。
【００１８】
そして、カード識別子管理サーバ５００は、上記のように記憶されたカード通過情報を利用して捜索対象者が所持するＩＣカードのカード識別子を特定する。以降において、捜索対象者が所持するＩＣカードのカード識別子については捜索対象識別子と呼ぶ。
一例として、カード識別子管理サーバ５００は、記憶されたカード通過情報が含むカード識別子の出現頻度についての統計を求める。このように統計を求めた場合に、出現頻度が高いカード識別子ほど捜索対象者のものである可能性が高い。そこで、カード識別子管理サーバ５００は、上記のようにカード通過情報についてカード識別子の出現頻度についての統計を求め、出現頻度が最も高いカード識別子を捜索対象カード識別子とすればよい。
【００１９】
カード識別子管理サーバ５００は、上記のように特定した捜索対象カード識別子を、各駅１の改札機２００のそれぞれに送信する。このために、カード識別子管理サーバ５００は、捜索対象カード識別子を、各駅１のカード通過情報管理装置４００に対して、改札機２００への転送指示とともに送信する。
カード通過情報管理装置４００は、転送指示に従って、送信された捜索対象カード識別子を、監視盤３００を介して改札機２００の各々に送信する。改札機２００は、送信された捜索対象カード識別子を記憶する。
【００２０】
改札機２００は、捜索対象カード識別子を記憶している場合、ＩＣカード１００から情報を読み取るごとに、読み取った情報に含まれるカード識別子が、記憶している捜索対象カード識別子と一致するか否かについて判定する。
【００２１】
改札機２００は、読み取ったカード識別子が捜索対象カード識別子と一致していなければ通常の動作を実行する。
これに対して、読み取ったカード識別子が捜索対象カード識別子と一致した場合、改札機２００は、駅構内側の扉（構内側扉）と駅構外側の扉（構外側扉）とのいずれも閉じるように動作する。これにより、捜索対象者は、改札機２００の構内側扉と構外側扉とにより進路をふさがれ、動くことができない状態となる。これにより、捜索対象者を確保できる可能性が高くなる。
【００２２】
あるいは、読み取ったカード識別子が捜索対象カード識別子と一致した場合には、構内側扉と構外側扉とを閉めるのに代えて、改札機２００が備えるランプを捜索対象者が通過しようとしていることを示す所定の態様で点灯させてもよい。例えば、捜索対象者が通過しようとしていることを示す所定のパターンによりランプを点滅させればよい。また、構内側扉と構外側扉とを閉める動作と、ランプを点灯させる動作とが組み合わされてもよい。
【００２３】
［改札機の構成例］
図２を参照して、改札機２００の構成例について説明する。同図に示す改札機２００は、通信部２０１、リーダライタ部２０２、カード処理部２０３、動作制御部２０４、捜索対象カード識別子記憶部２０５、カード識別子送信制御部２０６、構内側扉２０７、構外側扉２０８及びランプ２０９を備える。
【００２４】
通信部２０１は、監視盤３００と通信を実行する。
リーダライタ部２０２は、通信範囲内のＩＣカード１００から情報を読み取る。また、リーダライタ部２０２は、通信範囲内のＩＣカード１００に対して情報を書き込む。例えば、プリペイド方式のＩＣカード１００の残高から運賃を差し引くような場合には、リーダライタ部２０２に残金を変更するための情報の書き込みが行われる。
【００２５】
カード処理部２０３は、リーダライタ部２０２によりＩＣカード１００から読み取られた情報を利用して各種の処理を実行する。一例として、カード処理部２０３は、プリペイド方式のＩＣカード１００から読み取った情報に基づいては、残金から運賃を差し引くなどの処理を実行する。また、出場時において残金が運賃よりも少ない場合には、カード処理部２０３は、動作制御部２０４にその旨を通知する。通知に応じて、動作制御部２０４は、構外側扉２０８を閉じる。また、例えば入場時における残金が初乗り料金よりも少ないような場合にも、カード処理部２０３は、動作制御部２０４にその旨を通知する。通知に応じて、動作制御部２０４は、構内側扉２０７を閉じる。
また、カード処理部２０３は、ＩＣカード１００から読み出した情報に基づいて、ＩＣカード１００の所持者の年齢、性別などを動作制御部２０４に通知する。動作制御部２０４は、所持者の年齢、性別などに応じて、例えば特定の色を点灯させるなどしてランプ２０９の点灯制御を実行することもできる。
【００２６】
動作制御部２０４は、上記したように、カード処理部２０３からの通知などに応じて、構内側扉２０７、構外側扉２０８の開閉制御や、ランプ２０９の点灯制御を実行する。
【００２７】
また、動作制御部２０４は、改札機２００がＩＣカード１００の通過に応じて読み取ったカード識別子が、改札機２００にて取得された捜索対象カード識別子と一致するのに応じて、捜索対象者の通過に対応した所定の動作（捜索対象者対応動作）を改札機２００に実行させる。
つまり、改札機２００は、カード識別子管理サーバ５００から送信された捜索対象カード識別子を捜索対象カード識別子記憶部２０５に記憶させる。動作制御部２０４は、ＩＣカード１００から情報が読み取られるごとに、読み取られた情報に含まれるカード識別子をカード処理部２０３から入力し（あるいはリーダライタ部２０２が読み取った情報を入力し、入力した情報からカード識別子を取り出してもよい）、捜索対象カード識別子記憶部２０５に記憶されている捜索対象カード識別子と比較する。
そして、ＩＣカード１００から読み取られたカード識別子と捜索対象カード識別子とが一致する場合には、動作制御部２０４は、捜索対象者対応動作として、前述のように、構内側扉２０７と構外側扉２０８の両者を閉じるように動作させる。あるいは、動作制御部２０４は、捜索対象者対応動作として、ランプ２０９を所定のパターンにより点滅させるなどの動作を行わせてもよい。
【００２８】
捜索対象カード識別子記憶部２０５は、カード識別子管理サーバ５００から送信され、通信部２０１にて受信された捜索対象カード識別子を記憶する。
【００２９】
カード識別子送信制御部２０６は、リーダライタ部２０２によりＩＣカード１００から情報が読み取られるごとに、読み取られた情報に含まれるカード識別子を、通信部２０１から監視盤３００を介してカード通過情報管理装置４００に送信する。
【００３０】
構内側扉２０７は、改札機２００の駅構内側に備えられる扉である。構外側扉２０８は、改札機２００の駅構外側に備えられる扉である。前述のように、構内側扉２０７と構外側扉２０８のそれぞれの開閉は、動作制御部２０４によって制御される。
ランプ２０９は、改札機２００において駅員などが監視可能な位置に設けられ、動作制御部２０４の制御に応じて点灯する。
【００３１】
［カード通過情報管理装置の構成例］
図３を参照して、カード通過情報管理装置４００の構成例について説明する。同図に示すカード通過情報管理装置４００は、通信部４０１、カード通過情報管理部４０２、カード通過情報記憶部４０３及び検索部４０４を備える。
【００３２】
通信部４０１は、通信網６００を介してカード識別子管理サーバ５００と通信を実行する。また、通信部４０１は、監視盤３００と通信を実行する。
【００３３】
カード通過情報管理部４０２は、改札機２００がＩＣカード１００の通過に応じてＩＣカード１００から読み取ったカード識別子と、ＩＣカード１００が改札機２００を通過した際の状況を示す所定の情報とを対応付けたカード通過情報を、カード通過情報記憶部４０３に記憶させる。
【００３４】
改札機２００は、ＩＣカード１００の通過に応じてＩＣカード１００から情報を読み取るごとに、読み取った情報に含まれるカード識別子を含むカード通過情報を生成し、生成したカード通過情報を、監視盤３００を介してカード通過情報管理装置４００に送信する。
カード通過情報管理部４０２は、改札機２００からカード通過情報を受信するごとに、受信したカード通過情報を、カード通過情報記憶部４０３に記憶させる。
【００３５】
カード通過情報記憶部４０３は、１以上のカード通過情報を記憶する。
図４は、カード通過情報記憶部４０３が記憶するカード通過情報の構造例を示している。同図に示すようにカード通過情報記憶部４０３は、複数のカード通過情報を記憶する。１つのカード通過情報は、カード識別子、改札口番号、通過日時、入出区分を対応付けた構造である。
【００３６】
カード通過情報におけるカード識別子は、改札機２００から受信したカード識別子である。改札口番号は、対応のカード識別子を読み取った改札機２００が設置された改札口を示す番号である。
通過日時は、対応のカード識別子が読み取られたＩＣカード１００が改札機２００を通過した日時である。具体的には、通過日時は、対応のカード識別子がカード通過情報管理装置４００にて受信された日時とすればよい。
このようにカード識別子、改札口番号、通過日時、入出区分を含むカード通過情報は、前述のように、対応のカード識別子のＩＣカード１００が通過した改札機２００により生成されたものである。
【００３７】
入出区分は、対応のカード識別子が読み取られたＩＣカード１００の改札機２００の通過が駅構内への入場と、駅構外への出場のいずれであるのかを示す。
【００３８】
説明を図３に戻す。カード識別子管理サーバ５００からはカード通過情報管理装置４００に対しては、前述のように検索要求が送信される。
検索部４０４は、受信した検索要求の検索条件が示す時間帯に改札機を通過したことを示すカード通過情報をカード通過情報記憶部４０３が記憶するカード通過情報のうちから検索する。検索部４０４は、検索したカード通過情報を検索結果としてカード識別子管理サーバ５００に送信する。
【００３９】
［カード識別子管理サーバの構成例］
図５を参照して、カード識別子管理サーバ５００の構成例について説明する。同図に示すカード識別子管理サーバ５００は、通信部５０１、入力部５０２、検索要求部５０３、検索結果処理部５０４、検索結果記憶部５０５、捜索対象カード識別子特定部５０６及び捜索対象カード識別子送信部５０７を備える。
【００４０】
通信部５０１は、通信網６００を介して各駅１のカード通過情報管理装置４００と通信を実行する。
【００４１】
入力部５０２は、検索対象の駅と検索条件としての時間帯を入力する。検索対象の駅と検索条件の入力の態様としては、例えば、操作によって指定された検索対象の駅と検索条件とを入力するようにしてもよい。あるいは、通信網やデータインターフェースを介して外部から伝送された検索対象の駅と検索条件とを入力するようにしてもよい。
前述のように、検索対象の駅と検索条件としての時間帯は、捜索対象者について推定した過去の行動に基づいて決定されたものである。
【００４２】
検索要求部５０３は、検索対象として指定された駅１に設置されたカード通過情報管理装置４００に対して、時間帯を検索条件とする検索要求を送信する。
つまり、検索要求部５０３は、入力部５０２が入力した検索対象の駅１におけるカード通過情報管理装置４００に、入力部５０２が入力した時間帯としての検索条件が示される検索要求を送信する。
【００４３】
検索結果処理部５０４は、検索要求の送信に応じてカード通過情報管理装置４００から送信され、通信部５０１にて受信された検索結果を、検索結果記憶部５０５に記憶させる。
ここで、カード通過情報管理装置４００から送信される検索結果は、図４に示したようにカード通過情報記憶部４０３に記憶されるカード通過情報のうち、通過日時が検索条件としての時間帯に含まれているカード通過情報である。
検索結果処理部５０４は、例えば、上記のようにカード通過情報管理装置４００から送信された検索結果としてのカード通過情報に、検索結果の送信元のカード通過情報管理装置４００が設置された駅を示す情報を付加して検索結果記憶部５０５に記憶させる。
【００４４】
検索結果記憶部５０５は、検索結果を記憶する。
図６は、検索結果記憶部５０５が記憶する検索結果の構造例を示している。同図に示すように、検索結果記憶部５０５が記憶する検索結果は、カード識別子ごとに駅名、改札口番号、通過日時、入出区分を対応付けた構造である。ここで、１つの検索結果に含まれる情報のうち、カード識別子、改札口番号、通過日時、入出区分は、カード通過情報管理装置４００から検索結果として送信されたカード通過情報に対応する。また、検索結果における駅名は、例えば検索結果処理部５０４が付した情報である。なお、カード通過情報管理装置４００が、検索したカード通過情報に駅名の情報を含めた情報を検索結果としてカード識別子管理サーバ５００に送信するようにしてもよい。
【００４５】
説明を図５に戻す。
捜索対象カード識別子特定部５０６は、検索要求に応じてカード通過情報管理装置４００から検索結果として送信されるカード通過情報に基づいて、捜索対象カード識別子を特定する。
具体的に、捜索対象カード識別子特定部５０６は、前述のように、検索結果記憶部５０５に記憶された検索結果としてのカード通過情報について、同じカード識別子を含むカード通過情報ごとに統計を求める。そして、捜索対象カード識別子特定部５０６は、カード識別子の出現頻度が最も高いカード識別子を捜索対象カード識別子として特定すればよい。
【００４６】
捜索対象カード識別子送信部５０７は、捜索対象カード識別子特定部５０６により特定された捜索対象カード識別子が改札機２００にて取得されるように送信する。つまり、捜索対象カード識別子送信部５０７は、捜索対象カード識別子特定部５０６により特定された捜索対象カード識別子を、通信部５０１から各駅１のカード通過情報管理装置４００に送信するとともに、捜索対象カード識別子の改札機２００への転送を指示する。カード通過情報管理装置４００は、転送の指示に応じて受信した捜索対象カード識別子を監視盤３００に送信する。監視盤３００は受信した捜索対象カード識別子を改札機２００に転送する。これにより、改札機２００にて捜索対象カード識別子特定部５０６により特定された捜索対象カード識別子が取得される。
【００４７】
［処理手順例］
図７のフローチャートは、改札機２００がＩＣカード１００の通過に応じて実行する処理手順例を示している。
改札機２００において、カード識別子送信制御部２０６は、ＩＣカード１００が改札機２００を通過するのに応じて、ＩＣカード１００からの情報の読み取りがリーダライタ部２０２により行われるのを待機している（ステップＳ１０１−ＮＯ）。
そして、ＩＣカード１００からの情報の読み取りが行われるのに応じて（ステップＳ１０１−ＹＥＳ）、カード識別子送信制御部２０６は、ＩＣカード１００から読み取られた情報から取り出したカード識別子と、改札口番号、通過日時、入出区分を含むカード通過情報を生成する（ステップＳ１０２）。
カード識別子送信制御部２０６は、ステップＳ１０２により生成したカード通過情報を、監視盤３００を介してカード通過情報管理装置４００に送信する（ステップＳ１０３）。
【００４８】
図８のフローチャートは、改札機２００から送信されたカード通過情報の受信に応じて、カード通過情報管理装置４００が実行する処理手順例を示している。
カード通過情報管理装置４００において、カード通過情報管理部４０２は、改札機２００から送信されるカード通過情報が受信されるのを待機している（ステップＳ２０１−ＮＯ）。
そして、図７のステップＳ１０３により改札機２００から送信されたカード通過情報が受信されるのに応じて（ステップＳ２０１−ＹＥＳ）、カード通過情報管理部４０２は、受信したカード通過情報をカード通過情報記憶部４０３に記憶させる（ステップＳ２０２）。
【００４９】
図９のフローチャートは、カード通過情報管理装置４００が、カード識別子管理サーバ５００から送信された検索要求に応じて実行する処理手順例を示している。
カード通過情報管理装置４００において、検索部４０４は、カード識別子管理サーバ５００から送信された検索要求が通信部４０１にて受信されるのを待機している（ステップＳ２１１−ＮＯ）。
そして、検索要求が受信されるのに応じて（ステップＳ２１１−ＹＥＳ）、検索部４０４は、カード通過情報記憶部４０３から、検索要求における検索条件が示す時間帯に通過日時が含まれるカード通過情報を検索する（ステップＳ２１２）。
検索部４０４は、ステップＳ２１２により検索されたカード通過情報を、検索結果としてカード識別子管理サーバ５００に送信する（ステップＳ２１３）。
【００５０】
図１０のフローチャートは、カード識別子管理サーバ５００が実行する処理手順例を示している。
カード識別子管理サーバ５００において、入力部５０２は、検索対象の駅を入力する（ステップＳ３０１）。
また、入力部５０２は、検索条件としての時間帯を入力する（ステップＳ３０２）。
検索要求部５０３は、ステップＳ３０１にて入力した検索対象の駅１ごとのカード通過情報管理装置４００に対して、ステップＳ３０２にて入力した時間帯を検索条件とする検索要求を通信部５０１から送信させる（ステップＳ３０３）。
【００５１】
ステップＳ３０３により送信した検索要求に応じて、カード通過情報管理装置４００からは検索結果としてのカード通過情報がカード識別子管理サーバ５００に送信され、送信されたカード通過情報が通信部５０１にて受信される。
検索結果処理部５０４は、受信した検索結果としてのカード通過情報を、検索結果記憶部５０５に記憶させる（ステップＳ３０４）。
【００５２】
次に、検索要求部５０３は、捜索対象者の捜索に必要な全ての検索対象の駅と検索条件（時間帯）との組合せによる検索を行ったか否かについて判定する（ステップＳ３０５）。
まだ、カード通過情報管理装置４００に検索させていない検索対象の駅と検索条件との組合せがある場合（ステップＳ３０５−ＮＯ）、検索要求部５０３は、ステップＳ３０１に処理を戻す。これにより、次の検索対象の駅と検索条件との組合せによるカード通過情報の検索が実行される。
【００５３】
そして、全ての検索対象の駅と検索条件（時間帯）との組合せによる検索が行われたのに応じて（ステップＳ３０５−ＹＥＳ）、捜索対象カード識別子特定部５０６は、以下の処理を実行する。
つまり、捜索対象カード識別子特定部５０６は、検索結果記憶部５０５に記憶されたカード通過情報を利用して、例えば前述のようにカード識別子についての統計を求めるなどして、捜索対象カード識別子を特定する（ステップＳ３０６）。
【００５４】
捜索対象カード識別子送信部５０７は、ステップＳ３０６によって特定された捜索対象カード識別子を、前述のように、カード通過情報管理装置４００、監視盤３００を介して各駅の改札機２００に対して送信する（ステップＳ３０７）。
【００５５】
図１１のフローチャートは、改札機２００が捜索対象者対応動作に対応して実行する処理手順例を示している。
改札機２００において、通信部２０１は、カード識別子管理サーバ５００から送信された捜索対象カード識別子が受信されるのを待機している（ステップＳ１１１−ＮＯ、ステップＳ１１３−ＮＯによりステップＳ１１１に戻る手順）。
【００５６】
そして、捜索対象カード識別子が受信されると（ステップＳ１１１−ＹＥＳ）、通信部２０１は、受信した捜索対象カード識別子を捜索対象カード識別子記憶部２０５に記憶させる（ステップＳ１１２）。
【００５７】
また、動作制御部２０４は、捜索対象カード識別子記憶部２０５に記憶されている捜索対象カード識別子と同じカード識別子がリーダライタ部２０２によって読み取られたか否かについて判定する（ステップＳ１１３）。
このために、動作制御部２０４は、リーダライタ部２０２によりＩＣカード１００から情報が読み取られるのに応じて、読み取られた情報に含まれるカード識別子をカード処理部２０３から入力する。動作制御部２０４は、カード処理部２０３から入力したカード識別子が、捜索対象カード識別子記憶部２０５に記憶されている捜索対象カード識別子と同じであるか否かについて判定すればよい。
【００５８】
捜索対象カード識別子と異なるカード識別子が読み取られた場合（ステップＳ１１３−ＮＯ）、動作制御部２０４は、ステップＳ１１１に処理を戻す。この場合、捜索対象者対応動作は特に行われることはなく、改札機２００は通常の動作を実行する。
【００５９】
これに対して、捜索対象カード識別子と同じカード識別子が読み取られた場合（ステップＳ１１３−ＹＥＳ）、動作制御部２０４は、捜索対象者対応動作を実行する（ステップＳ１１４）。つまり、動作制御部２０４は、前述のように、構内側扉２０７と構外側扉２０８の両者を閉じるための制御を実行する。あるいは、動作制御部２０４は、捜索対象者が通過したこと示す所定の態様によりランプ２０９を点灯させる。
【００６０】
＜第２実施形態＞
［概要］
続いて、第２実施形態について説明する。
これまでの説明から理解されるように。第１実施形態の構成によってはカード識別子管理サーバ５００により捜索対象カード識別子が特定される。このように捜索対象カード識別子が特定された場合、その後の捜査などにあたって、捜索対象カード識別子の所持者である捜索対象者の行動を把握したいような場合もあると考えられる。
そこで、第２実施形態のカード識別子管理システムとしては、以降説明するように、特定された捜索対象カード識別子を利用して、捜索対象者の鉄道の利用状況を把握可能なように構成される。
【００６１】
［処理手順例］
図１２のフローチャートは、第２実施形態におけるカード識別子管理サーバ５００が検索要求の送信のために実行する処理手順例を示している。なお、第２実施形態におけるＩＣカード管理システムの全体構成については図１と同様でよい。また、改札機２００、カード通過情報管理装置４００及びカード識別子管理サーバ５００の構成は、それぞれ、図２、図３及び図５と同様でよい。
【００６２】
カード識別子管理サーバ５００において、入力部５０２は、検索条件として、捜索対象カード識別子特定部５０６が特定した捜索対象カード識別子を入力する（ステップＳ３１１）。このように、第１実施形態においては、検索条件が時間帯とされていたのに対して、第２実施形態においては、検索条件が捜索対象カード識別子である点が異なる。
検索要求部５０３は、ステップＳ３１１により入力された捜索対象カード識別子を検索条件とする検索要求を、通信部５０１から、各駅１のカード通過情報管理装置４００に対して送信させる（ステップＳ３１２）。
なお、ステップＳ３１２において送信する検索要求としては、捜索対象カード識別子とともに、例えば「○○月○○日から××月××日まで」というように、検索範囲としての期間を含めてもよい。
【００６３】
上記の検索要求の受信に応答したカード通過情報管理装置４００の検索処理は、図９に準ずる。ただし、この場合の検索部４０４は、ステップＳ２１２において、時間帯を検索条件として検索するのではなく、捜索対象カード識別子を検索条件として検索する。つまり、検索部４０４は、検索条件としての捜索対象カード識別子を含むカード通過情報を、カード通過情報記憶部４０３から検索する。
【００６４】
通信部５０１は、ステップＳ３１２により送信した検索要求に応じて、カード通過情報管理装置４００から検索結果として送信されるカード通過情報を受信する。そこで、検索結果処理部５０４は、受信された検索結果としてのカード通過情報を、検索結果記憶部５０５に記憶させる（ステップＳ３１３）。
そして、検索結果処理部５０４は、検索結果記憶部５０５に記憶された検索結果としてのカード通過情報を利用して、捜索対象者の鉄道利用状況を解析する（ステップＳ３１４）。例えば、検索結果処理部５０４は、捜索対象者の鉄道利用状況の解析として、時間経過に従った駅の入出場の履歴を生成することができる。
【００６５】
＜第２実施形態の変形例＞
［概要］
次に、第２実施形態の変形例について説明する。
例えば第１実施形態においては、捜索対象カード識別子を１つに特定できない場合もあると考えられる。一例として、カード通過情報のカード識別子の出現頻度について統計を求める場合、最も高い出現頻度が複数のカード識別子で同じであれば、特定される捜索対象カード識別子は複数になる。このような場合に対応して、第２実施形態の変形例では、捜索対象カード識別子を検索条件として検索したカード通過情報を利用することによって、捜索対象カード識別子を絞り込んでいくことが可能なように構成される。
【００６６】
具体例として、例えば、或る事件の発生現場との関係から推定した捜索対象者の行動パターンに従って捜索対象カード識別子を特定したところ、複数の捜索対象カード識別子が特定されたとする。この段階で、事件後の捜索対象者の行動パターンについて既に把握されているような場合、特定された複数の捜索対象カード識別子ごとのカード通過情報に基づいて鉄道の利用状況を割り出せば、捜索対象者の行動パターンからかけ離れている鉄道の利用状況の捜索対象カード識別子については、候補から除外できる。
このように、複数の捜索対象カード識別子が特定された場合には、捜索対象カード識別子を検索条件として検索したカード通過情報に基づいて捜索対象カード識別子の絞り込みを行うことができる。
【００６７】
［処理手順例］
図１３のフローチャートは、第２実施形態の変形例としてのカード識別子管理サーバ５００が実行する処理手順例を示している。なお、同図において、図１１と同様となる処理のステップについては、図１１と同一符号を付している。
図１３において、ステップＳ３１１、Ｓ３１２、Ｓ３１３の各処理は、図１１と同様である。
【００６８】
そのうえで、捜索対象カード識別子特定部５０６は、ステップＳ３１３により記憶されたカード通過情報の内容に基づいて対応のＩＣカード１００の所持者の行動パターンを推定する。捜索対象カード識別子特定部５０６は、推定した所持者の行動パターンが、捜索対象者について推定あるいは特定されている行動パターンと一定以上に乖離しているか否かについて判定する（ステップＳ３２１）。なお、この乖離の判定のためのアルゴリズムについては特に限定されない。
【００６９】
そして、推定した所持者の行動パターンと捜索対象者の行動パターンとの乖離が一定以内である場合（ステップＳ３２１−ＮＯ）、捜索対象カード識別子特定部５０６は、ステップＳ３２２をスキップしてステップＳ３２３に処理を進める。これにより、今回のステップＳ３１１により検索条件として入力された捜索対象カード識別子は候補から除外されることなく残る。
【００７０】
一方、推定した所持者の行動パターンが捜索対象者の行動パターンと一定以上乖離している場合、（ステップＳ３２１−ＹＥＳ）、捜索対象カード識別子特定部５０６は、今回のステップＳ３１１により検索条件として入力された捜索対象カード識別子を候補から除外する（ステップＳ３２２）。
【００７１】
そして、捜索対象カード識別子特定部５０６は、全ての捜索対象カード識別子について、ステップＳ３１１からＳ３２２までの処理を実行したか否かについて判定する（ステップＳ３２３）。
まだ処理していない捜索対象カード識別子が残っている場合（ステップＳ３２３−ＮＯ）、捜索対象カード識別子特定部５０６は、ステップＳ３１１に処理を戻す。これにより、次の捜索対象カード識別子についての処理が行われる。
これに対して、全ての捜索対象カード識別子についての処理を終了した場合（ステップＳ３２３−ＹＥＳ）、捜索対象カード識別子特定部５０６は、同図に示す処理を終了する。
このような処理によって、複数の捜索対象カード識別子の候補についての絞り込みを行っていくことが可能になり、捜索対象者の特定をより高い精度で行うことが可能になる。
【００７２】
＜第３実施形態＞
［概要］
これまでの実施形態において、カード通過情報管理装置４００は、カード識別子管理サーバ５００からの検索要求に応答して検索を行い、検索結果をカード識別子管理サーバ５００に送信するようにされていた。
【００７３】
これに対して、第３の実施形態のカード通過情報管理装置４００は、検索要求の受信に応じて一旦検索を行った後においては以下のように動作する。
つまり、第３のカード通過情報管理装置４００は、改札機２００から受信した新規のカード通過情報の内容が過去の検索に利用されたのと同じおける検索条件を満たしていれば、その新規のカード通過情報を、検索結果としてカード識別子管理サーバ５００に送信するように構成される。
このような構成であれば、カード通過情報管理装置４００は、過去に受信したのと同じ検索要求を逐一受信しなくとも、一度検索を行った際の検索条件を満たすカード通過情報が新規に得られるのに応じて、そのカード通過情報をカード識別子管理サーバ５００に送信することができる。
これにより、カード識別子管理サーバ５００は、カード通過情報の収集のために逐一検索要求を送信する必要がなくなり、ＩＣカード管理システムにおける処理負荷の軽減、トラフィックの軽減、処理の効率化などが図られる。
【００７４】
図１４は、第３実施形態に対応するカード通過情報管理装置４００の構成例を示している。なお、同図において図３と同一部分は同一符号を付して説明を省略する。
図１４に示すカード通過情報管理装置４００においては、図３に示す構成に対して、検索条件記憶部４０５がさらに備えられる。
検索条件記憶部４０５は、検索部４０４が検索に利用した検索条件を記憶する。なお、検索条件記憶部４０５は、これまでに検索部４０４が検索した検索条件の全てを記憶する必要はなく、これまでに検索部４０４が検索した検索条件のうちから指定された検索条件を記憶すればよい。また、検索条件記憶部４０５に記憶させるべき検索条件を指定する情報は、例えば、カード識別子管理サーバ５００が送信する検索要求に含めるようにすればよい。
【００７５】
そのうえで、第３実施形態の検索部４０４は、改札機２００がＩＣカードからカード識別子を読み取ったのに応じて新規に得られたカード通過情報が、過去の検索に利用した検索条件と一致する場合に、新規に得られたカード通過情報を検索結果とする。
【００７６】
つまり、検索部４０４は、改札機２００がＩＣカードから情報を読み取ったのに応じて、改札機２００から送信されたカード通過情報を受信すると、受信したカード通過情報の内容が検索条件記憶部４０５に記憶されている検索条件を満たしているか否かについて判定する。
そして、受信したカード通過情報が検索条件記憶部４０５に記憶されている検索条件を満たしている場合、検索部４０４は、受信したカード通過情報を、過去に行った検索の検索結果として、カード識別子管理サーバ５００に対して送信する。
【００７７】
［処理手順例］
図１５のフローチャートは、検索条件の記憶のためにカード通過情報管理装置４００が実行する処理手順例を示している。
カード通過情報管理装置４００において、検索部４０４は、カード識別子管理サーバ５００から送信された検索要求が通信部４０１にて受信されるのを待機している（ステップＳ２２１−ＮＯ）。
検索要求が受信されるのに応じて（ステップＳ２２１−ＹＥＳ）、検索部４０４は、カード通過情報記憶部４０３から、検索要求が示す検索条件を満たすカード通過情報を検索する（ステップＳ２２２）。なお、ここでの検索条件は、第１実施形態に対応する時間帯であってもよいし、第２実施形態に対応する捜索対象カード識別子であってもよい。
検索部４０４は、ステップＳ２２２により検索されたカード通過情報を、検索結果としてカード識別子管理サーバ５００に送信する（ステップＳ２２３）。
そのうえで、検索部４０４は、ステップＳ２２２での検索に利用した検索条件を、検索条件記憶部４０５に記憶させる（ステップＳ２２４）。
【００７８】
図１６のフローチャートは、カード通過情報管理装置４００が、過去の検索に利用した検索条件を満たすカード通過情報の受信に応じて、受信したカード通過情報を検索結果として処理するための処理手順例を示している。なお、同図において、図８と同様の処理となるステップについては同一符号を付している。
【００７９】
カード通過情報管理装置４００において、カード通過情報管理部４０２は、改札機２００から送信されるカード通過情報が受信されるのを待機している（ステップＳ２０１−ＮＯ）。そして、改札機２００から送信されたカード通過情報が受信されるのに応じて（ステップＳ２０１−ＹＥＳ）、カード通過情報管理部４０２は、受信したカード通過情報をカード通過情報記憶部４０３に記憶させる（ステップＳ２０２）。
【００８０】
続いて、第３実施形態の検索部４０４は、ステップＳ２０１に対応して受信したカード通過情報が、検索条件記憶部４０５に記憶されている検索条件を満たすか否かについて判定する（ステップＳ２０３）。
検索条件を満たしていなければ（ステップＳ２０３−ＮＯ）、検索部４０４は、ステップＳ２０１に処理を戻す。この場合、新規に得られたカード通過情報については、検索結果として送信されることはない。
これに対して、検索条件を満たしている場合（ステップＳ２０３−ＹＥＳ）、検索部４０４は、ステップＳ２０１に対応して受信したカード通過情報を検索結果としてカード識別子管理サーバ５００に対して送信する（ステップＳ２０４）。ステップＳ２０４の処理を終了した後、検索部４０４は、ステップＳ２０１に処理を戻す。
【００８１】
＜その他変形例＞
これまでの説明におけるＩＣカード管理システムでは、各駅１において、改札機２００とカード通過情報管理装置４００との間に監視盤３００が介在している。しかし、監視盤３００を省略して、改札機２００とカード通過情報管理装置４００との間で直接的に通信が実行されるように構成してもよい。
なお、監視盤３００は駅１において備えられる既存の設備であることから、上記の実施形態のように、監視盤３００をＩＣカード管理システムに含めることで、既存の設備を利用して効率的に改札機２００とカード通過情報管理装置４００との通信を実現できる。
【００８２】
また、上記の実施形態においては、駅１ごとにカード通過情報管理装置４００が備えられ、その上位にカード識別子管理サーバ５００が備えられる構成を採っている。つまり、カード通過情報管理装置４００により駅単位でカード通過情報を収集しておき、カード識別子管理サーバ５００がカード通過情報管理装置４００に対して検索要求を行うことで、捜索対象者の捜索に必要な情報を選択的に収集するという構成である。
これに対して、例えば、カード識別子管理サーバ５００にカード通過情報管理装置４００の機能を含めたＩＣカード管理装置を構成し、ＩＣカード管理装置と、駅１ごとの改札機２００とが通信網６００経由で通信を行うように構成してもよい。
【００８３】
上記のＩＣカード管理装置は、以下の機能部を備えて構成することができる。
つまり、ＩＣカード管理装置は、カード通過情報管理部と、カード通過情報記憶部と、検索部と、捜索対象カード識別子特定部とを備える。先の各実施形態において、カード通過情報管理部、カード通過情報記憶部、検索部は、カード通過情報管理装置４００において備えられ、捜索対象カード識別子特定部は、カード識別子管理サーバ５００において備えられている。
そのうえで、ＩＣカード管理装置におけるカード通過情報管理部は、複数の駅において設置される各改札機２００がＩＣカード１００の通過に応じてＩＣカード１００から読み取ったカード識別子と、ＩＣカード１００が改札機２００を通過した際の状況を示す所定の情報とを対応付けたカード通過情報をカード通過情報記憶部に記憶させる。
検索部は、カード通過情報記憶部が記憶するカード通過情報のうちから、検索対象として指定された駅の改札機を検索条件が示す時間帯に通過したことを示すカード通過情報を検索する。
捜索対象カード識別子特定部は、検索部が検索したカード通過情報に基づいて、捜索対象カード識別子を特定する。
そのうえで、ＩＣカード管理装置としては、特定された捜索対象カード識別子を改札機２００に送信し、捜索対象カード識別子を改札機２００に記憶させることで、改札機２００に捜索対象者対応動作を実行させることもできる。
また、ＩＣカード管理装置としては、第２の実施形態のように、特定された捜索対象カード識別子を検索条件としてカード通過情報を検索するように構成することもできる。
また、本実施形態の記録媒体としては、ＩＣカード１００の他に、ＩＣカード１００と同等の機能を備えて構成される携帯電話やスマートフォンなどであってもよい。
【００８４】
以上述べた少なくともひとつの実施形態のＩＣカード管理システムまたはＩＣカード管理装置では、ＩＣカード１００が改札機２００を通過するのに応じて得られる各駅のカード通過情報が収集され、収集されたカード通過情報のうちから検索条件を満たすカード通過情報を取得することができる。これにより、複数の駅の改札機をＩＣカードが通過した際の情報を捜索対象者の捜索等の目的に応じて適切に処理することが可能になる。
【００８５】
なお、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８６】
１００…ＩＣカード
２００…改札機
２０１…通信部
２０２…リーダライタ部
２０３…カード処理部
２０４…動作制御部
２０５…捜索対象カード識別子記憶部
２０６…カード識別子送信制御部
２０７…構内側扉
２０８…構外側扉
２０９…ランプ
４００…カード通過情報管理装置
４０１…通信部
４０２…カード通過情報管理部
４０３…カード通過情報記憶部
４０４…検索部
４０５…検索条件記憶部
５００…カード識別子管理サーバ
５０１…通信部
５０２…入力部
５０３…検索要求部
５０４…検索結果処理部
５０５…検索結果記憶部
５０６…捜索対象カード識別子特定部
５０７…捜索対象カード識別子送信部
【図１】
2015049678.tif 000003
【図２】
2015049678.tif 000004
【図３】
2015049678.tif 000005
【図４】
2015049678.tif 000006
【図５】
2015049678.tif 000007
【図６】
2015049678.tif 000008
【図７】
2015049678.tif 000009
【図８】
2015049678.tif 000010
【図９】
2015049678.tif 000011
【図１０】
2015049678.tif 000012
【図１１】
2015049678.tif 000013
【図１２】
2015049678.tif 000014
【図１３】
2015049678.tif 000015
【図１４】
2015049678.tif 000016
【図１５】
2015049678.tif 000017
【図１６】
2015049678.tif 000018